(57)【要約】【課題】製造時間を増大させることなく表示不良を防止することの可能な信号処理回路、表示装置、電子機器、および信号処理方法を提供する。【解決手段】信号処理回路は、規則性を有するノイズ状の模様が映像に生成されるように第１の映像信号に対して補正を行うことにより第２の映像信号を生成する。これにより、表示パネルに第１の映像信号が入力された場合の表示映像に、スジや輝度ムラが生じる場合であっても、その表示映像に、それらを目立たなくさせる模様が重畳される。【選択図】図３
2014029428.tif 000002
【特許請求の範囲】
【請求項１】
規則性を有するノイズ状の模様が映像に生成されるように第１の映像信号に対して補正を行うことにより第２の映像信号を生成する
信号処理回路。
【請求項２】
前記ノイズ状の模様として、前記映像の面内の第１の方向、および前記第１の方向と交差する第２の方向に繰り返しパターンの模様が前記映像に生成されるように前記第１の映像信号に対して補正を行うことにより前記第２の映像信号を生成する
請求項１に記載の信号処理回路。
【請求項３】
前記第１の映像信号を正規化したのち、正規化後の第１の映像信号に対して前記補正を行うことにより前記第２の映像信号を生成する
請求項２に記載の信号処理回路。
【請求項４】
前記第１の映像信号は、表示パネルの画素数分の階調信号を含み、
当該信号処理回路は、前記表示パネルの全画素数よりも少ない数の補正係数を含むＬＵＴ(Look Up Table)を用いて前記第１の映像信号の各階調信号に対して前記補正を行う
請求項３に記載の信号処理回路。
【請求項５】
前記第１の映像信号の各階調信号に対する前記補正を、前記ＬＵＴに含まれる補正係数の数ごとに順次、行う
請求項４に記載の信号処理回路。
【請求項６】
前記補正を一度に行う複数の階調信号の組み合わせを、所定の時間ごとに変更する
請求項４に記載の信号処理回路。
【請求項７】
前記ＬＵＴは、当該ＬＵＴに含まれる全ての補正係数を前記表示パネルの画素の配列に対応してマトリクス状に配列させたときに、その配列は、１回回転対称または２回回転対称となっている
請求項４に記載の信号処理回路。
【請求項８】
前記ＬＵＴは、前記補正係数として、１よりも小さな整数、１、および１よりも大きな整数のうち、少なくとも、１および１よりも大きな整数を含む
請求項３に記載の信号処理回路。
【請求項９】
前記第１の映像信号は、所定のガンマ補正のなされた映像信号であり、
当該信号処理回路は、前記第１の映像信号のガンマ補正をキャンセルすることによりリニアなガンマ特性の第３の映像信号を生成する
請求項２に記載の信号処理回路。
【請求項１０】
前記第３の映像信号を正規化したのち、正規化後の第３の映像信号に対して前記補正を行うことにより前記第２の映像信号を生成する
請求項９に記載の信号処理回路。
【請求項１１】
表示パネルと、前記表示パネルを駆動する駆動回路とを備え、
前記駆動回路は、規則性を有するノイズ状の模様が映像に生成されるように第１の映像信号に対して補正を行うことにより第２の映像信号を生成する信号処理回路を有する
表示装置。
【請求項１２】
表示装置を備え、
前記表示装置は、表示パネルと、前記表示パネルを駆動する駆動回路とを有し、
前記駆動回路は、規則性を有するノイズ状の模様が映像に生成されるように第１の映像信号に対して補正を行うことにより第２の映像信号を生成する信号処理回路を有する
電子機器。
【請求項１３】
規則性を有するノイズ状の模様が映像に生成されるように第１の映像信号に対して補正を行うことにより第２の映像信号を生成する
信号補正方法。
【発明の詳細な説明】
【技術分野】
【０００１】
本技術は、映像信号に対して補正を行う信号処理回路ならびにそれを備えた表示装置および電子機器に関する。また、本技術は、映像信号に対して補正を行う信号処理方法に関する。
【背景技術】
【０００２】
近年、映像表示を行う表示装置の分野では、画素の発光素子として、流れる電流値に応じて発光輝度が変化する電流駆動型の発光素子、例えば有機ＥＬ素子を用いた表示装置が開発され、商品化が進められている。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて、薄型化、高輝度化することができる。
【０００３】
有機ＥＬ表示装置では、製造時のＴＦＴ特性のばらつきによって、表示映像に、スジや、輝度ムラが生じることがある。通常、このような表示不良を防ぐために、画素回路に含まれるＴＦＴ（Thin Film Transistor）の駆動方法により自己補正を行う手法（Ｖｔｈ補正）が一般的に行われている。しかし、実際には、それだけでは不十分な場合もあり、その場合には、Ｖｔｈ補正の他に、ＴＦＴのゲート−ソース間に保持される電圧をＴＦＴの移動度μの大きさに応じて補正するμ補正が行われることがある（例えば、特許文献１参照）。
【先行技術文献】
【特許文献】
【０００４】
【特許文献１】特開２００８−１４８０５５号公報
【特許文献２】特開２００４−２１２５５７号公報
【特許文献３】特開２０１１−５３６３４号公報
【特許文献４】特開２００９−２５８３０２号公報
【特許文献５】特開２００４−１４５２５７号公報
【発明の概要】
【発明が解決しようとする課題】
【０００５】
μ補正では、表示時に使用する電圧よりも高い電圧が使用される。そのため、μ補正を行う場合には、μ補正を行わない場合よりも、高耐圧のドライバＩＣが必要となり、さらに、ドライバＩＣから発せられる発熱量が大きくなる。従って、駆動系システムを小型化し、さらに、低消費電力化する必要のあるモバイル系機器では、μ補正を行わずに表示不良を防止する方策が必要となる。
【０００６】
そのような方策として、例えば、特許文献２〜５に記載の方策が提案されている。特許文献２では、レーザアニール時に基板を回転させ、エネルギー密度のばらつきを平準化することが開示されている。しかし、この方策では、製造時間の増大によって、製造コストが上昇してしまうという問題があった。また、特許文献３〜５では、個々の表示パネルの発光特性を測定し、その測定データに基づいて作成した補正データで映像信号を補正することにより表示不良を防止することが開示されている。しかし、この方策では、表示パネルごとに発光特性を測定することが必要となる。そのため、この方策でも、製造時間の増大によって、製造コストが上昇してしまうという問題があった。
【０００７】
なお、表示映像に、スジや、輝度ムラが生じる問題は、有機ＥＬ表示装置に特有の問題ではない。例えば、複数のμｍオーダーのＬＥＤ(Light Emitting Diode)が表示画素としてマトリクス状に配置されたＬＥＤディスプレイにおいても、ＬＥＤ特性のばらつきによって、表示映像に、スジや、輝度ムラが生じることがある。
【０００８】
本技術はかかる問題点に鑑みてなされたもので、その第１の目的は、製造時間を増大させることなく表示不良を防止することの可能な信号処理回路ならびにそれを備えた表示装置および電子機器を提供することにある。また、第２の目的は、製造時間を増大させることなく表示不良を防止する信号処理方法を提供することにある。
【課題を解決するための手段】
【０００９】
本技術の信号処理回路は、規則性を有するノイズ状の模様が映像に生成されるように第１の映像信号に対して補正を行うことにより第２の映像信号を生成するものである。
【００１０】
本技術の表示装置は、表示パネルと、表示パネルを駆動する駆動回路とを備えている。駆動回路は、上記の信号処理回路を有している。
【００１１】
本技術の電子機器は、上記の表示装置を備えている。
【００１２】
本技術の信号処理方法は、規則性を有するノイズ状の模様が映像に生成されるように第１の映像信号に対して補正を行うことにより第２の映像信号を生成するステップを含むものである。
【００１３】
本技術の信号処理回路、表示装置、電子機器、および信号処理方法では、規則性を有するノイズ状の模様が映像に生成されるように第１の映像信号に対して補正を行うことにより第２の映像信号が生成される。これにより、表示パネルに第１の映像信号が入力された場合の表示映像に、スジや輝度ムラが生じる場合であっても、その表示映像に、それらを目立たなくさせる模様を重畳させることができる。また、本技術では、表示映像に重畳される模様が、規則性を有するノイズ状の模様であり、表示パネルの発光特性を測定することなく得られる模様である。従って、表示映像に上記の模様を重畳するために、表示パネルの発光特性を測定する必要がない。
【発明の効果】
【００１４】
本技術の信号処理回路、表示装置、電子機器、および信号処理方法によれば、表示パネルに第１の映像信号が入力された場合の表示映像に、スジや輝度ムラが生じる場合であっても、その表示映像に、それらを目立たなくさせる模様を重畳させることができるようにしたので、スジや輝度ムラなどの表示不良を防止することができる。また、表示映像に上記の模様を重畳するために、表示パネルの発光特性を測定する必要がないので、製造時間を増大させる虞がない。以上のことから、本技術では、製造時間を増大させることなく表示不良を防止することができる。
【図面の簡単な説明】
【００１５】
【図１】本技術の一実施の形態に係る表示装置の機能ブロックの一例を表す図である。
【図２】図１の表示パネルの概略構成の一例を表す図である。
【図３】図１の信号処理回路の機能ブロックの一例を表す図である。
【図４】図３のムラ補正ＬＵＴ(Look Up Table)の一例を表す図である。
【図５】図３のムラ補正ＬＵＴの他の例を表す図である。
【図６】図３のムラ補正において、入力された映像信号に対するムラ補正ＬＵＴの重畳の方法の一例を表す図である。
【図７】図３のムラ補正回路に、白表示の映像信号を入力したときの出力の第１例を誇張して表す図である。
【図８】図３のムラ補正回路に、白表示の映像信号を入力したときの出力の第２例を誇張して表す図である。
【図９】図３のムラ補正回路に、白表示の映像信号を入力したときの出力の第３例を誇張して表す図である。
【図１０】図３のムラ補正回路に、白表示の映像信号を入力したときの出力の第４例を誇張して表す図である。
【図１１】図３のムラ補正回路に、白表示の映像信号を入力したときの出力の第５例を誇張して表す図である。
【図１２】図３のムラ補正回路に、白表示の映像信号を入力したときの出力の第６例を誇張して表す図である。
【図１３】図３のムラ補正回路に、白表示の映像信号を入力したときの出力の第７例を誇張して表す図である。
【図１４】図３のムラ補正回路に、スジ状の表示不良を含む映像信号を入力したときの出力の一例を誇張して表す図である。
【図１５】図１のドライバの機能ブロックの一例を表す図である。
【図１６】図３のムラ補正において、入力された映像信号に対するムラ補正ＬＵＴの重畳の方法の他の例を表す図である。
【図１７】図１の信号処理回路の機能ブロックの他の例を表す図である。
【図１８】上記実施の形態の発光装置の適用例１の外観を表す斜視図である。
【図１９】（Ａ）は適用例２の表側から見た外観を表す斜視図であり、（Ｂ）は裏側から見た外観を表す斜視図である。
【図２０】適用例３の外観を表す斜視図である。
【図２１】適用例４の外観を表す斜視図である。
【図２２】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１６】
以下、発明を実施するための形態について、図面を参照して詳細に説明する。なお、説明は以下の順序で行う。
１．実施の形態（表示装置）
２．変形例（表示装置）
３．適用例（電子機器）
【００１７】
＜１．実施の形態＞
[構成]
図１は、本技術の一実施の形態に係る表示装置１の概略構成を表したものである。この表示装置１は、表示パネル１０と、外部から入力された映像信号Ｄｉｎおよび同期信号Ｔｉｎに基づいて表示パネル１０を駆動する駆動回路２０とを備えている。
【００１８】
（表示パネル１０）
表示パネル１０は、電圧印加により光の偏光状態を電気的に変えることで映像光を生成するものである。表示パネル１０は、入力された映像信号Ｖｓｉｇ１〜ＶｓｉｇＮに基づいて入射光を変調することにより、映像を表示するものである。ここで、映像信号Ｖｓｉｇ１〜ＶｓｉｇＮは、相展開した映像信号である。表示パネル１０がカラー表示用のパネルとなっている場合、映像信号Ｖｓｉｇ１〜ＶｓｉｇＮは、例えば、赤色用の画素に対応する映像信号ＶｓｉｇＲ１〜ＶｓｉｇＲＮと、緑色用の画素に対応する映像信号ＶｓｉｇＧ１〜ＶｓｉｇＧＮと、青色用の画素に対応する映像信号ＶｓｉｇＢ１〜ＶｓｉｇＢＮとを含んで構成されている。
【００１９】
図２は、図１の表示パネル１０の概略構成の一例を表したものである。表示パネル１０は、例えば、パネル部１１と、パネル部１１に接続されたフレキシブルプリント基板（ＦＰＣ：Flexible printed circuits）１２（以下、ＦＰＣ１２と称する。）とを有している。パネル部１１は、例えば、複数の画素１４がマトリクス状に形成された画素領域１３と、データ線駆動回路１５と、走査線駆動回路１６とを有している。パネル部１１は、各画素１４がデータ線駆動回路１５および走査線駆動回路１６によってアクティブ駆動されることにより、外部から入力されたデジタルの映像信号Ｄｉｎに基づく映像を表示するものである。
【００２０】
パネル部１１は、行方向に延在する複数の書込線ＷＳＬと、列方向に延在する複数の信号線ＤＴＬとを有している。信号線ＤＴＬと書込線ＷＳＬとの交差部分に対応して、画素１４が設けられている。各信号線ＤＴＬは、データ線駆動回路１５の出力端（図示せず）に接続されている。各書込線ＷＳＬは、走査線駆動回路１６の出力端（図示せず）に接続されている。
【００２１】
データ線駆動回路１５は、例えば、駆動回路２０から供給される１水平ライン分のアナログの映像信号を、各画素１４に信号電圧として供給するものである。具体的には、データ線駆動回路１５は、例えば、１水平ライン分のアナログの映像信号を、走査線駆動回路１６により選択された１水平ラインを構成する各画素１４に、信号線ＤＴＬを介してそれぞれ供給するものである。
【００２２】
走査線駆動回路１６は、例えば、駆動回路２０から供給される走査タイミング制御信号に応じて、駆動対象の画素１４を選択するようになっている。具体的には、走査線駆動回路１６は、例えば、走査線ＷＳＬを介して、選択パルスを画素１４の選択回路（図示せず）に印加することにより、マトリックス状に配置されている複数の画素１４のうちの１行を駆動対象として選択するようになっている。そして、これらの画素１４では、データ線駆動回路１５から供給される信号電圧に応じて、１水平ラインの表示がなされる。このようにして、走査線駆動回路１６は、例えば、時分割的に１水平ラインずつ順次走査を行い、画素領域全体にわたった表示を行うようになっている。
【００２３】
（駆動回路２０）
駆動回路２０は、例えば、図１に示したように、信号処理回路３０、タイミング生成回路４０およびドライバ５０を有している。
【００２４】
（信号処理回路３０）
信号処理回路３０は、映像信号Ｄｉｎから、表示パネル１０用の映像信号ＤＡを生成するようになっている。映像信号Ｄｉｎは、デジタルの映像信号であり、所定のγ補正のなされたものである。ここで、所定のγ補正とは、所定の表示装置（旧来はブラウン管テレビジョン）に映像信号Ｄｉｎを入力したときに、映像信号Ｄｉｎと、所定の表示装置の輝度との関係がリニアになるように補正することを指している。
【００２５】
信号処理回路３０は、映像信号Ｄｉｎに対して所定の補正を行い、補正後の映像信号を、映像信号ＤＡとして、ドライバ５０に出力するようになっている。信号処理回路３０は、さらに、同期信号Ｔｉｎに含まれている水平同期信号および垂直同期信号に基づくタイミングで、映像信号ＤＡをドライバ５０に出力するようになっている。ここで、所定の補正としては、例えば、後述するように、リニアγ補正（または逆γ補正）や、γ補正、ムラ補正などが挙げられる。なお、所定の補正には、上記以外の補正が含まれていてもよい。ここで、リニアγ補正（または逆γ補正）とは、映像信号Ｄｉｎのガンマ補正をキャンセルすることによりリニアなガンマ特性の映像信号（第３の映像信号）を生成することを指している。γ補正とは、特性がガンマ値に応じた最適のカーブとなるように映像信号の階調を補正することを指している。なお、ムラ補正については、後に詳述する。
【００２６】
図３は、信号処理回路３０の内部構成の一部を表したものである。信号処理回路３０は、例えば、リニアγ変換回路３１、正規化回路３２、ムラ補正回路３３、階調化回路３４、パネルγ変換回路３５および記憶部３６を有している。
【００２７】
正規化回路３２は、リニアγ変換回路３１の出力信号（映像信号Ｄｉｎ１）を正規化するものであり、映像信号Ｄｉｎ１を正規化することにより得られた映像信号Ｄｉｎ２を出力するようになっている。階調化回路３４は、ムラ補正回路３３の出力信号（映像信号Ｄｉｎ３）に対して、後段のＤ／Ａ変換回路５２（後述）に適した階調情報を付与するものであり、ムラ補正回路３３の出力信号（映像信号Ｄｉｎ３）に対して所定の演算を行うことにより得られた映像信号Ｄｉｎ４を出力するようになっている。
【００２８】
記憶部３６は、例えば、リニアγ補正ＬＵＴ３６Ａ、ムラ補正ＬＵＴ３６Ｂおよびγ補正ＬＵＴ３６Ｃを格納している。リニアγ補正ＬＵＴ３６Ａは、出力信号のγ特性がリニアとなるように、入力信号と出力信号とを対応付けたものである。γ補正ＬＵＴ３６Ｃは、出力信号のγ特性が表示パネル１０のγ特性と相補の関係となるように、入力信号と出力信号とを対応付けたものである。なお、ムラ補正ＬＵＴ３６Ｂについては、後に詳述する。
【００２９】
リニアγ変換回路３１は、記憶部３６から読み出したリニアγ補正ＬＵＴ３６Ａを用いて、映像信号Ｄｉｎを映像信号Ｄｉｎ１に変換するものである。リニアγ変換回路３１は、リニアγ補正ＬＵＴ３６Ａを用いて、映像信号Ｄｉｎのγ特性をリニアに変換し、映像信号Ｄｉｎ１として、リニアのγ特性を有する映像信号を出力するようになっている。パネルγ変換回路３５は、記憶部３６から読み出したγ補正ＬＵＴ３６Ｃを用いて、映像信号Ｄｉｎ４を映像信号ＤＡに変換するものである。パネルγ変換回路３５は、γ補正ＬＵＴ３６Ｃを用いて、映像信号Ｄｉｎ４のリニアなγ特性を、表示パネル１０のγ特性と相補の関係となるγ特性に変換し、映像信号ＤＡとして、表示パネル１０のγ特性と相補の関係となるγ特性を有する映像信号を出力するようになっている。
【００３０】
（ムラ補正ＬＵＴ３６Ｂ）
次に、ムラ補正ＬＵＴ３６Ｂについて説明する。図４（Ａ）〜（Ｇ）は、ムラ補正ＬＵＴ３６Ｂを概念的に表したものであり、具体的には、ムラ補正ＬＵＴ３６Ｂに含まれる全ての補正係数を表示パネル１０の画素１４の配列に対応してマトリクス状に配列させたときの様子を表したものである。ムラ補正ＬＵＴ３６Ｂに含まれる複数の補正係数は、本来現れるはずの輝度に対して掛ける輝度比の値となっている。ここで、本来現れるはずの輝度とは、表示パネル１０がカラー表示用のパネルとなっている場合には、画素１４の発光色ごとの輝度を指している。従って、表示パネル１０がカラー表示用のパネルとなっている場合、ムラ補正ＬＵＴ３６Ｂは、画素の色ごとに１つずつ設けられている。
【００３１】
図４（Ａ）のムラ補正ＬＵＴ３６Ｂでは、４つの補正係数が２×２の行列となっており、２回回転対称の配置となっている。さらに、図４（Ａ）のムラ補正ＬＵＴ３６Ｂでは、補正係数が２値となっており、かつ１未満（具体的には、０．９，０．９５）となっている。図４（Ａ）では、０．９５の補正係数と０．９の補正係数とが対角に配置されている。図４（Ａ）の配列が縦方向および横方向に繰り返し配置された場合には、０．９５の補正係数が斜め方向に連続して延在すると共に、０．９の補正係数が斜め方向に連続して延在することになる。見方を変えると、０．９５の補正係数と０．９の補正係数とが市松模様状に配置されている。従って、図４（Ａ）の配列は、表示パネル１０に起因して生じる特定のスジが縦方向または横方向に延在することを想定して設定されたものである。
【００３２】
図４（Ｂ）のムラ補正ＬＵＴ３６Ｂでは、４つの補正係数が２×２の行列となっており、２回回転対称の配置となっている。さらに、図４（Ｂ）のムラ補正ＬＵＴ３６Ｂでは、補正係数が２値となっており、かつ１以下（具体的には、０．９５，１）となっている。図４（Ｂ）では、０．９５の補正係数と１の補正係数とが対角に配置されている。図４（Ｂ）の配列が縦方向および横方向に繰り返し配置された場合には、０．９５の補正係数が斜め方向に連続して延在すると共に、１の補正係数が斜め方向に連続して延在することになる。見方を変えると、０．９５の補正係数と１の補正係数とが市松模様状に配置されている。従って、図４（Ｂ）の配列は、表示パネル１０に起因して生じる特定のスジが縦方向または横方向に延在することを想定して設定されたものである。
【００３３】
図４（Ｃ）のムラ補正ＬＵＴ３６Ｂでは、１２個の補正係数が６×２の行列となっており、１回回転対称の配置となっている。さらに、図４（Ｃ）のムラ補正ＬＵＴ３６Ｂでは、補正係数が３値となっており、かつ１以下（具体的には、０．９，０．９５，１）となっている。図４（Ｂ）では、０．９の補正係数が２か所において、横一行に配置され、１の補正係数のブロックと０．９５の補正係数のブロックとがそれぞれ、０．９の補正係数を中途に挟みながら、斜め方向に並んで配置されている。図４（Ｃ）の配列が縦方向および横方向に繰り返し配置された場合には、０．９の補正係数が横方向に連続して延在し、さらに、１の補正係数のブロックと０．９５の補正係数のブロックとが斜め方向に並んで配置されることになる。そのため、表示パネル１０に起因して生じる特定のスジが縦方向に延在している場合には、その特定のスジは、０．９の補正係数の延在方向と直交し、さらに、１の補正係数のブロックの配列と交差するとともに、０．９５の補正係数のブロックの配列とも交差する。従って、図４（Ｃ）の配列は、表示パネル１０に起因して生じる特定のスジが縦方向に延在することを想定して設定されたものである。
【００３４】
図４（Ｄ）のムラ補正ＬＵＴ３６Ｂでは、１６個の補正係数が４×４の行列となっており、１回回転対称の配置となっている。さらに、図４（Ｄ）のムラ補正ＬＵＴ３６Ｂでは、補正係数が３値となっており、かつ１以下（具体的には、０．９，０．９５，１）となっている。図４（Ｄ）では、０．９５および０．９の補正係数のブロックと、１の補正係数のブロックとが対角に配置されている。図４（Ｄ）の配列が縦方向および横方向に繰り返し配置された場合には、０．９５および０．９の補正係数のブロックが斜め方向に連続して延在すると共に、１の補正係数のブロックが斜め方向に連続して延在することになる。見方を変えると、０．９５および０．９の補正係数のブロックと１の補正係数のブロックとが市松模様状に配置されることになる。従って、図４（Ｂ）の配列は、表示パネル１０に起因して生じる特定のスジが縦方向または横方向に延在することを想定して設定されたものである。
【００３５】
図４（Ｅ）のムラ補正ＬＵＴ３６Ｂでは、１６個の補正係数が４×４の行列となっており、１回回転対称の配置となっている。さらに、図４（Ｅ）のムラ補正ＬＵＴ３６Ｂでは、補正係数が２値となっており、かつ１未満（具体的には、０．９，０．９５）となっている。図４（Ｅ）では、０．９５の補正係数が多数敷き詰められているところに、０．９の補正係数がまばらに（離散して）配置されている。図４（Ｅ）の配列が縦方向および横方向に繰り返し配置された場合にも、０．９５の補正係数が多数敷き詰められているところに、０．９の補正係数がまばらに（離散して）配置された態様となっている。従って、図４（Ｅ）の配列は、表示パネル１０に起因して生じる特定のスジが縦方向、横方向または斜め方向に延在することを想定して設定されたものである。
【００３６】
図４（Ｆ）のムラ補正ＬＵＴ３６Ｂでは、１６個の補正係数が４×４の行列となっており、１回回転対称の配置となっている。さらに、図４（Ｆ）のムラ補正ＬＵＴ３６Ｂでは、補正係数が２値となっており、かつ１以下（具体的には、０．９５，１）となっている。図４（Ｆ）では、０．９５の補正係数が多数敷き詰められているところに、１の補正係数がまばらに（離散して）配置されている。図４（Ｆ）の配列が縦方向および横方向に繰り返し配置された場合にも、０．９５の補正係数が多数敷き詰められているところに、１の補正係数がまばらに（離散して）配置された態様となっている。従って、図４（Ｆ）の配列は、表示パネル１０に起因して生じる特定のスジが縦方向、横方向または斜め方向に延在することを想定して設定されたものである。
【００３７】
図４（Ｇ）のムラ補正ＬＵＴ３６Ｂでは、１６個の補正係数が４×４の行列となっており、１回回転対称の配置となっている。さらに、図４（Ｇ）のムラ補正ＬＵＴ３６Ｂでは、補正係数が３値となっており、かつ１以下（具体的には、０．９，０．９５，１）となっている。図４（Ｇ）では、０．９５の補正係数が多数敷き詰められているところに、１の補正係数と、０．９の補正係数とがまばらに（離散して）配置されている。図４（Ｇ）の配列が縦方向および横方向に繰り返し配置された場合にも、０．９５の補正係数が多数敷き詰められているところに、１の補正係数と、０．９の補正係数とがまばらに（離散して）配置された態様となっている。従って、図４（Ｇ）の配列は、表示パネル１０に起因して生じる特定のスジが縦方向、横方向または斜め方向に延在することを想定して設定されたものである。
【００３８】
なお、ムラ補正ＬＵＴ３６Ｂに含まれる複数の補正係数のうち１種類の補正係数が、１よりも大きな整数値となっていてもよい。つまり、ムラ補正ＬＵＴ３６Ｂが、補正係数として、１よりも小さな整数、１、および１よりも大きな整数のうち、少なくとも、１および１よりも大きな整数を含んでいる。このようにした場合には、ムラ補正ＬＵＴ３６Ｂの適用による輝度低下を抑制することができる。図５（Ａ）〜（Ｅ）は、補正係数として１よりも大きな整数値が含まれるムラ補正ＬＵＴ３６Ｂの配列の一例を表したものである。
【００３９】
図５（Ａ）のムラ補正ＬＵＴ３６Ｂでは、４つの補正係数が２×２の行列となっており、２回回転対称の配置となっている。さらに、図５（Ａ）のムラ補正ＬＵＴ３６Ｂでは、補正係数が２値となっており、かつ１を超える値（具体的には１．０５）と１を含んでいる。図５（Ａ）では、１の補正係数と１．０５の補正係数とが対角に配置されている。図５（Ａ）の配列が縦方向および横方向に繰り返し配置された場合には、１の補正係数が斜め方向に連続して延在すると共に、１．０５の補正係数が斜め方向に連続して延在することになる。見方を変えると、１の補正係数と１．０５の補正係数とが市松模様状に配置される。従って、図５（Ａ）の配列は、表示パネル１０に起因して生じる特定のスジが縦方向または横方向に延在することを想定して設定されたものである。
【００４０】
図５（Ｂ）のムラ補正ＬＵＴ３６Ｂでは、１２個の補正係数が６×２の行列となっており、１回回転対称の配置となっている。さらに、図５（Ｂ）のムラ補正ＬＵＴ３６Ｂでは、補正係数が３値となっており、かつ１を超える値（具体的には１．０５）と、１以下の値（具体的には、０．９５，１）とを含んでいる。図５（Ｂ）では、０．９５の補正係数が２か所において、横一行に配置され、１の補正係数のブロックと１．０５の補正係数のブロックとがそれぞれ、０．９５の補正係数を中途に挟みながら、斜め方向に並んで配置されている。図５（Ｂ）の配列が縦方向および横方向に繰り返し配置された場合には、０．９５の補正係数が横方向に連続して延在し、さらに、１の補正係数のブロックと０．９５の補正係数のブロックとが斜め方向に並んで配置されることになる。そのため、表示パネル１０に起因して生じる特定のスジが縦方向に延在している場合には、その特定のスジは、０．９５の補正係数の延在方向と直交し、さらに、１の補正係数のブロックの配列と交差するとともに、０．９５の補正係数のブロックの配列とも交差する。従って、図５（Ｂ）の配列は、表示パネル１０に起因して生じる特定のスジが縦方向に延在することを想定して設定されたものである。
【００４１】
図５（Ｃ）のムラ補正ＬＵＴ３６Ｂでは、１６個の補正係数が４×４の行列となっており、１回回転対称の配置となっている。さらに、図５（Ｃ）のムラ補正ＬＵＴ３６Ｂでは、補正係数が３値となっており、かつ１を超える値（具体的には１．０５）と、１以下の値（具体的には、０．９５，１）とを含んでいる。図５（Ｃ）では、１．０５の補正係数のブロックが斜め方向に並んで配置され、さらに、１の補正係数と０．９５の補正係数とが配列中の所定の領域内で斜めに配置されている。従って、図５（Ｃ）の配列は、表示パネル１０に起因して生じる特定のスジが縦方向または横方向に延在することを想定して設定されたものである。
【００４２】
図５（Ｄ）のムラ補正ＬＵＴ３６Ｂでは、１６個の補正係数が４×４の行列となっており、１回回転対称の配置となっている。さらに、図５（Ｄ）のムラ補正ＬＵＴ３６Ｂでは、補正係数が２値となっており、かつ１を超える値（具体的には１．０５）と、１を含んでいる。図５（Ｄ）では、１の補正係数が多数敷き詰められているところに、１．０５の補正係数がまばらに（離散して）配置されている。図５（Ｄ）の配列が縦方向および横方向に繰り返し配置された場合にも、１の補正係数が多数敷き詰められているところに、１．０５の補正係数がまばらに（離散して）配置された態様となっている。従って、図５（Ｄ）の配列は、表示パネル１０に起因して生じる特定のスジが縦方向、横方向または斜め方向に延在することを想定して設定されたものである。
【００４３】
図５（Ｅ）のムラ補正ＬＵＴ３６Ｂでは、１６個の補正係数が４×４の行列となっており、１回回転対称の配置となっている。さらに、図５（Ｅ）のムラ補正ＬＵＴ３６Ｂでは、補正係数が３値となっており、かつ１を超える値（具体的には１．０５）と、１以下の値（具体的には、０．９５，１）とを含んでいる。図５（Ｅ）では、１の補正係数と、０．９５および１．０５の補正係数のブロックとが配列中の所定の領域内で斜めに配置されている。従って、図５（Ｅ）の配列は、表示パネル１０に起因して生じる特定のスジが縦方向、横方向または斜め方向に延在することを想定して設定されたものである。
【００４４】
このように、ムラ補正ＬＵＴ３６Ｂは、表示パネル１０の全画素数よりも少ない数の補正係数を含んで構成されている。ムラ補正ＬＵＴ３６Ｂは、さらに、ムラ補正ＬＵＴ３６Ｂに含まれる全ての補正係数を表示パネル１０の画素１４の配列に対応してマトリクス状に配列させたときの配列（以下、「第１配列」と称する。）において、列数が、表示パネル１０の画素行の数よりも少なく、行数が、表示パネル１０の画素列の数よりも少なくなっている。従って、ムラ補正回路３３は、後述するように、ムラ補正ＬＵＴ３６Ｂを、表示パネル１０の全画素に対応する階調信号に対して、一度にかけることはせず、ムラ補正ＬＵＴ３６Ｂに含まれる補正係数の数ごとに順次、かけるようになっている。
【００４５】
第１配列において、列数が、表示パネル１０の画素行の数の約数と等しくなっていてもよいし（図６（Ａ））、表示パネル１０の画素行の数の約数と異なっていてもよい（図６（Ｂ））。また、第１配列において、行数が、表示パネル１０の画素列の数の約数と等しくなっていてもよいし、表示パネル１０の画素列の数の約数と異なっていてもよい。
【００４６】
第１配列の列数が、表示パネル１０の画素行の数の約数と異なっている場合、ムラ補正回路３３は、ムラ補正ＬＵＴ３６Ｂに含まれる全ての補正係数のうち、対応する画素１４の無い補正係数については、演算を実施しないようになっている。同様に、第１配列の行数が、表示パネル１０の画素列の数の約数と異なっている場合、ムラ補正回路３３は、ムラ補正ＬＵＴ３６Ｂに含まれる全ての補正係数のうち、対応する画素１４の無い補正係数については、演算を実施しないようになっている。
【００４７】
また、ムラ補正ＬＵＴ３６Ｂは、ムラ補正ＬＵＴ３６Ｂに含まれる全ての補正係数を表示パネル１０の画素１４の配列に対応してマトリクス状に配列させると、点対称配列となっている。１回回転対称または２回回転対称の規則性を有している。なお、ムラ補正ＬＵＴ３６Ｂが、図４（Ａ）〜（Ｇ）および図５（Ａ）〜（Ｅ）に示された配列のうちいずれか１つの配列を２個以上組み合わせた配列となっていてもよい。
【００４８】
（ムラ補正回路３３）
次に、ムラ補正回路３３について説明する。図７〜図１３は、ムラ補正回路３３における演算の様子を模式的に表したものである。図７〜図１３の左側には、ムラ補正回路３３に入力される映像信号Ｄｉｎ２が白表示に対応する映像信号となっていることが示されている。
【００４９】
また、図７〜図１３の中央には、ムラ補正回路３３に入力される映像信号Ｄｉｎ２と、ムラ補正ＬＵＴ３６Ｂとが互いに掛け合わされることが示されている。ここで、上述したように、ムラ補正ＬＵＴ３６Ｂは、表示パネル１０の全画素数よりも少ない数の補正係数を含んで構成されている。そのため、ムラ補正回路３３は、ムラ補正ＬＵＴ３６Ｂを、表示パネル１０の全画素に対応する階調信号に対して、一度にかけることはせず、ムラ補正ＬＵＴ３６Ｂに含まれる補正係数の数ごとに順次、かけるようになっている。
【００５０】
また、図７〜図１３の右側には、ムラ補正回路３３から出力される映像信号Ｄｉｎ３によって生成される映像が縞模様になっていることが示されている。なお、表示映像を生成するのは、ムラ補正回路３３ではなく、表示パネル１０である。また、映像信号Ｄｉｎ３によって生成される映像には、規則性を有するノイズ状の模様がはっきりと描かれている。しかし、それは、誇張して表現されたものであり、実際の映像では、規則性を有するノイズ状の模様の輝度は、表示パネル１０に起因して生じる複数のスジ（図１４の左側の図を参照）と同レベルの輝度となっている。
【００５１】
なお、図７では、ムラ補正ＬＵＴ３６Ｂとして図４（Ａ）に記載のものが用いられている。図８では、ムラ補正ＬＵＴ３６Ｂとして図４（Ｂ）に記載のものが用いられている。図９では、ムラ補正ＬＵＴ３６Ｂとして図４（Ｃ）に記載のものが用いられている。図１０では、ムラ補正ＬＵＴ３６Ｂとして図４（Ｄ）に記載のものが用いられている。図１１では、ムラ補正ＬＵＴ３６Ｂとして図４（Ｅ）に記載のものが用いられている。図１２では、ムラ補正ＬＵＴ３６Ｂとして図４（Ｆ）に記載のものが用いられている。図１３では、ムラ補正ＬＵＴ３６Ｂとして図４（Ｇ）に記載のものが用いられている。
【００５２】
ムラ補正回路３３は、規則性を有するノイズ状の模様が映像に生成されるように映像信号Ｄｉｎ２（第１の映像信号）に対して補正を行うことにより映像信号Ｄｉｎ３（第２の映像信号）を生成するようになっている。具体的には、ムラ補正回路３３は、ノイズ状の模様として、映像の面内の第１の方向、および第１の方向と交差する第２の方向に繰り返しパターンの模様が映像に生成されるように映像信号Ｄｉｎ２に対して補正を行うことにより映像信号Ｄｉｎ３を生成するようになっている。
【００５３】
ムラ補正回路３３は、さらに、正規化回路３２が映像信号Ｄｉｎ１を正規化したのち、正規化後の映像信号Ｄｉｎ２に対して、上述したように（すなわち、規則性を有するノイズ状の模様が映像に生成されるように）補正を行うことにより映像信号Ｄｉｎ３を生成するようになっている。ここで、映像信号Ｄｉｎ２は、表示パネル１０の画素数分の階調信号を含んでいる。このとき、ムラ補正回路３３は、表示パネル１０の全画素数よりも少ない数の補正係数を含むムラ補正ＬＵＴ３６Ｂを用いて映像信号Ｄｉｎ２の各階調信号に対して、上記の補正（以下、「ムラ補正」と称する。）を行うようになっている。つまり、ムラ補正ＬＵＴ３６Ｂは、低ビットのＬＵＴである。
【００５４】
例えば、ムラ補正回路３３は、映像信号Ｄｉｎ２の各階調信号に対する上記の補正を、ムラ補正ＬＵＴ３６Ｂに含まれる補正係数の数ごとに順次、行うようになっている。映像信号Ｄｉｎ２の各階調信号に対する上記の補正とは、映像信号Ｄｉｎ２の各階調信号に対して、ムラ補正ＬＵＴ３６Ｂに含まれる補正係数を掛けることを指している。その結果、図７〜図１３に示したように、映像信号Ｄｉｎ３に対応する映像には、規則性を有するノイズ状の模様が生成される。模様の周囲の白表示の輝度を１としたときに、規則性を有するノイズ状の模様の輝度は、例えば、０．９５または０．９となっている。
【００５５】
図１４は、ムラ補正回路３３における演算の様子の他の例を模式的に表したものである。図１４の左側には、ムラ補正回路３３に入力される映像信号Ｄｉｎ２が白表示の中に複数のスジが存在するような映像信号となっていることが示されている。なお、図１４には、ムラ補正ＬＵＴ３６Ｂとして図４（Ａ）に記載のものが記載されているが、ムラ補正ＬＵＴ３６Ｂは、常に、図４（Ａ）に記載のものに限定されるものではない。また、表示映像中の複数のスジは、白表示の中に存在するときには、わずかに視認できる程度のものである。
【００５６】
ムラ補正回路３３は、映像信号Ｄｉｎ２の階調の大きさや分布に拘わらず、規則性を有するノイズ状の模様が映像に生成されるように映像信号Ｄｉｎ２に対して補正を行うことにより映像信号Ｄｉｎ３を生成するようになっている。ムラ補正回路３３は、さらに、正規化回路３２が映像信号Ｄｉｎ１を正規化したのち、正規化後の映像信号Ｄｉｎ２に対して、映像信号Ｄｉｎ２の階調の大きさや分布に拘わらず、上記の補正を行うことにより映像信号Ｄｉｎ３を生成するようになっている。
【００５７】
ここで、映像信号Ｄｉｎ２は、表示パネル１０の画素数分の階調信号を含んでいる。このとき、ムラ補正回路３３は、表示パネル１０の全画素数よりも少ない数の補正係数を含むムラ補正ＬＵＴ３６Ｂを用いて映像信号Ｄｉｎ２の各階調信号に対して、上記の補正を行うようになっている。例えば、ムラ補正回路３３は、映像信号Ｄｉｎ２の各階調信号に対する上記の補正を、ムラ補正ＬＵＴ３６Ｂに含まれる補正係数の数ごとに順次、行うようになっている。映像信号Ｄｉｎ２の各階調信号に対する上記の補正とは、映像信号Ｄｉｎ２の各階調信号に対して、ムラ補正ＬＵＴ３６Ｂに含まれる補正係数を掛けることを指している。
【００５８】
その結果、図１４に示したように、映像信号Ｄｉｎ３に対応する映像には、規則性を有するノイズ状の模様が生成される。つまり、白表示の中に複数のスジが存在するような映像に対して、規則性を有するノイズ状の模様が重畳される。これにより、表示映像中の複数のスジの輝度が、規則性を有するノイズ状の模様によってまだらに低減され、さらに、表示映像中の複数のスジ以外の部分の輝度も、規則性を有するノイズ状の模様によってまだらに低減される。なお、補正係数として１よりも高い数値が用いられている場合には、表示映像中の複数のスジの輝度が、規則性を有するノイズ状の模様によってまだらに低減されるとともにまだらに増加される。つまり、白表示の中に複数のスジが存在するような映像が、規則性を有するノイズ状の模様（ノイズ）によって乱される（荒らされる）。その結果として、表示映像中の複数のスジが、規則性を有するノイズ状の模様に溶け込んでしまうので、表示映像中の複数のスジを、ほとんど視認することができなくなる。
【００５９】
以下で、信号処理回路３０以外の構成（タイミング生成回路４０、ドライバ５０）について説明する。
【００６０】
（タイミング生成回路４０）
タイミング生成回路４０は、制御信号Ｔｉｎに含まれている水平同期信号および垂直同期信号に基づいて、液晶表示パネル１０の駆動用タイミングパルスであって、かつ、水平、垂直の書き込み転送を制御するためのタイミングパルスＴＰを生成するようになっている。タイミング生成回路４０は、生成したタイミングパルスＴＰを所定のタイミングで液晶表示パネル１０に出力するようになっている。タイミング生成回路４０は、タイミングパルスＴＰとして、例えば、水平走査の開始を指令する水平スタートパルス、水平走査の基準となる水平クロック、垂直走査の開始を指令する垂直スタートパルス、垂直走査の基準となる垂直クロックを生成するようになっている。タイミング生成回路４０は、さらに、ドライバ５０用のクロックＣＬＫを生成し、ドライバ５０に出力するようになっている。
【００６１】
（ドライバ５０）
図１５は、ドライバ５０を機能ブロックで表したものである。ドライバ５０は、例えば、サンプル・ホールド回路５１、Ｄ／Ａ変換回路５２、およびドライバ回路５３を有している。サンプル・ホールド回路５１は、シリアルデジタルの映像信号ＤＡに対して並列化処理を行い、複数並列の映像信号に展開するようになっている。サンプル・ホールド回路５１は、相展開した映像信号を、タイミング生成回路３０からのクロックＣＬＫに基づいたタイミングで、Ｄ／Ａ変換回路５２に出力するようになっている。Ｄ／Ａ変換回路５２は、サンプル・ホールド回路５１から入力された映像信号（相展開した映像信号）をアナログ信号化して、ドライバ回路５３に出力するようになっている。Ｄ／Ａ変換回路５２がドライバ回路５３に出力する電圧の範囲が、表示パネル１０の有効電圧範囲に対応する。つまり、Ｄ／Ａ変換回路５２が表示パネル１０の有効電圧範囲を規定している。ドライバ回路５３は、タイミング生成回路３０から出力されたクロックＣＬＫに基づく所定のタイミングで、アナログの映像信号を交流反転化させて、映像信号Ｖｓｉｇ１〜ＶｓｉｇＮとして、表示パネル１０に印加するようになっている。
【００６２】
[動作] 
次に、表示装置１の動作（特に信号処理回路３０の動作）について説明する。
【００６３】
映像信号Ｄｉｎが外部から入力されると、リニアγ変換回路３１がリニアγ補正ＬＵＴ３６Ａを用いて、映像信号Ｄｉｎのγ特性をリニアに変換し、映像信号Ｄｉｎ１として、リニアのγ特性を有する映像信号を出力する。次に、正規化回路３２は、映像信号Ｄｉｎ１を正規化することにより得られた映像信号Ｄｉｎ２を出力する。次に、ムラ補正回路３３は、表示パネル１０の全画素数よりも少ない数の補正係数を含むムラ補正ＬＵＴ３６Ｂを用いて、映像信号Ｄｉｎ２の各階調信号に対して補正を行う。具体的には、ムラ補正回路３３は、表示パネル１０の全画素に対応する階調信号に対して、ムラ補正ＬＵＴ３６Ｂに含まれる補正係数の数ごとに順次、かける。その後、ムラ補正回路３３は、上記補正によって得られた映像信号Ｄｉｎ３を出力する。
【００６４】
次に、階調化回路３４は、映像信号Ｄｉｎ３に対して、後段のＤ／Ａ変換回路５２に適した階調情報を付与する。具体的には、階調化回路３４は、映像信号Ｄｉｎ３に対して、ムラ補正ＬＵＴ３６Ｂに含まれる全ての補正係数を掛け、それにより得られた映像信号Ｄｉｎ４を出力するようになっている。パネルγ変換回路３５は、γ補正ＬＵＴ３６Ｃを用いて、映像信号Ｄｉｎ４を映像信号ＤＡに変換する。具体的には、パネルγ変換回路３５は、γ補正ＬＵＴ３６Ｃを用いて、映像信号Ｄｉｎ４のリニアなγ特性を、表示パネル１０のγ特性と相補の関係となるγ特性に変換し、映像信号ＤＡとして、表示パネル１０のγ特性と相補の関係となるγ特性を有する映像信号を出力する。
【００６５】
[効果] 
次に、表示装置１の効果について説明する。表示装置１では、規則性を有するノイズ状の模様が映像に生成されるように映像信号Ｄｉｎ２に対して補正を行うことにより映像信号Ｄｉｎ３が生成される。これにより、表示パネル１０に映像信号Ｄｉｎ２が入力された場合の表示映像に、スジや輝度ムラが生じる場合であっても、その表示映像に、それらを目立たなくさせる模様を重畳させることができる。また、本技術では、表示映像に重畳される模様が、規則性を有するノイズ状の模様であり、表示パネル１０の発光特性を測定することなく得られる模様である。従って、表示映像に上記の模様を重畳するために、表示パネル１０の発光特性を測定する必要がない。これにより、スジや輝度ムラなどの表示不良を防止することができる。また、表示装置１では、表示映像に上記の模様を重畳するために、表示パネル１０の発光特性を測定する必要がないので、製造時間を増大させる虞がない。以上のことから、本技術では、製造時間を増大させることなく表示不良を防止することができる。
【００６６】
＜２．変形例＞
[変形例１]
上記実施の形態では、ムラ補正回路３３は、映像信号Ｄｉｎ２の各階調信号に対するムラ補正を、ムラ補正ＬＵＴ３６Ｂに含まれる補正係数の数ごとに順次、行うようになっていた。このとき、ムラ補正回路３３は、例えば、図６（Ａ）または図６（Ｂ）に示したように、ムラ補正を一括して行う映像信号Ｄｉｎ２の組み合わせを、時間経過に拘わらず固定にしてもよい。ただし、ムラ補正回路３３は、ムラ補正を一括して行う映像信号Ｄｉｎ２の組み合わせを、所定の時間ごとに変更するようにしてもよい。例えば、図１６（Ａ）、図１６（Ｂ）、図１６（Ｃ）および図１６（Ｄ）にように、ムラ補正回路３３は、ムラ補正を一括して行う映像信号Ｄｉｎ２の組み合わせを、所定の時間ごとに、画素１１配列の横方向に１画素分ずつずらすようにしてもよい。このようにした場合には、ムラ補正ＬＵＴ３６Ｂの適用によって生じる模様に起因する焼き付きを防止することができる。
【００６７】
[変形例２]
上記実施の形態では、信号処理回路３０は、リニアγ変換回路３１およびγ変換回路３５を有していたが、例えば、図１７に示したように、これらの省略することも可能である。つまり、信号処理回路３０が、所定のγ補正がなされ、かつ正規化がなされていない映像信号Ｄｉｎに対してムラ補正を行うようにしてもよい。
【００６８】
＜３．適用例＞
以下、上記実施の形態およびその変形例（以下、「上記実施の形態等」と称する。）で説明した表示装置１の適用例について説明する。上記実施の形態の表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００６９】
（適用例１）
図１８は、上記実施の形態等の表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態に係る表示装置１により構成されている。
【００７０】
（適用例２）
図１９は、上記実施の形態等の表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態等に係る表示装置１により構成されている。
【００７１】
（適用例３）
図２０は、上記実施の形態等の表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態等に係る表示装置１により構成されている。
【００７２】
（適用例４）
図２１は、上記実施の形態等の表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態等に係る表示装置１により構成されている。
【００７３】
（適用例５）
図２２は、上記実施の形態等の表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態等に係る表示装置１により構成されている。
【００７４】
以上、実施の形態および適用例を挙げて本発明を説明したが、本発明はこれらに限定されず、種々の変形が可能である。
【００７５】
例えば、上記実施の形態等において、信号処理回路３０は、ハードウェア（回路）で構成されていてもよいし、ソフトウェア（プログラム）で構成されていてもよい。
【００７６】
また、上記実施の形態等では、表示装置１が有機ＥＬ表示装置である場合が例示されていたが、複数のμｍオーダーのＬＥＤが表示画素としてマトリクス状に配置されたＬＥＤディスプレイであってもよい。ＬＥＤディスプレイにおいても、ＬＥＤ特性が個々のＬＥＤによって異なることがあり、その場合には、表示映像に、スジや、輝度ムラが生じることがある。従って、本技術は、ＬＥＤディスプレイにおいても有効である。
【００７７】
また、例えば、本技術は以下のような構成を取ることができる。
（１）
規則性を有するノイズ状の模様が映像に生成されるように第１の映像信号に対して補正を行うことにより第２の映像信号を生成する
信号処理回路。
（２）
前記ノイズ状の模様として、前記映像の面内の第１の方向、および前記第１の方向と交差する第２の方向に繰り返しパターンの模様が前記映像に生成されるように前記第１の映像信号に対して補正を行うことにより前記第２の映像信号を生成する
（１）に記載の信号処理回路。
（３）
前記前記ノイズ状の模様のコントラストが、表示パネルの特性に起因して生じる筋状の模様のコントラストと同一もしくは同等か、またはそれよりも低くなるように、前記補正を行う
（１）または（２）に記載の信号処理回路。
（４）
前記第１の映像信号を正規化したのち、正規化後の第１の映像信号に対して前記補正を行うことにより前記第２の映像信号を生成する
（１）ないし（３）のいずれか１つに記載の信号処理回路。
（５）
前記第１の映像信号は、表示パネルの画素数分の階調信号を含み、
当該信号処理回路は、前記表示パネルの全画素数よりも少ない数の補正係数を含むＬＵＴ(Look Up Table)を用いて前記第１の映像信号の各階調信号に対して前記補正を行う
（４）に記載の信号処理回路。
（６）
前記第１の映像信号の各階調信号に対する前記補正を、前記ＬＵＴに含まれる補正係数の数ごとに順次、行う
（５）に記載の信号処理回路。
（７）
前記補正を一度に行う複数の階調信号の組み合わせを、所定の時間ごとに変更する
（５）または（６）に記載の信号処理回路。
（８）
前記ＬＵＴは、当該ＬＵＴに含まれる全ての補正係数を前記表示パネルの画素の配列に対応してマトリクス状に配列させたときに、その配列は、１回回転対称または２回回転対称となっている
（５）ないし（７）のいずれか１つに記載の信号処理回路。
（９）
前記ＬＵＴは、前記補正係数として、１よりも小さな整数、１、および１よりも大きな整数のうち、少なくとも、１および１よりも大きな整数を含む
（５）ないし（８）のいずれか１つに記載の信号処理回路。
（１０）
前記第１の映像信号は、所定のガンマ補正のなされた映像信号であり、
当該信号処理回路は、前記第１の映像信号のガンマ補正をキャンセルすることによりリニアなガンマ特性の第３の映像信号を生成する
（１）ないし（９）のいずれか１つに記載の信号処理回路。
（１１）
前記第３の映像信号を正規化したのち、正規化後の第３の映像信号に対して前記補正を行うことにより前記第２の映像信号を生成する
（１０）に記載の信号処理回路。
（１２）
表示パネルと、前記表示パネルを駆動する駆動回路とを備え、
前記駆動回路は、規則性を有するノイズ状の模様が映像に生成されるように第１の映像信号に対して補正を行うことにより第２の映像信号を生成する信号処理回路を有する
表示装置。
（１３）
表示装置を備え、
前記表示装置は、表示パネルと、前記表示パネルを駆動する駆動回路とを有し、
前記駆動回路は、規則性を有するノイズ状の模様が映像に生成されるように第１の映像信号に対して補正を行うことにより第２の映像信号を生成する信号処理回路を有する
電子機器。
（１４）
規則性を有するノイズ状の模様が映像に生成されるように第１の映像信号に対して補正を行うことにより第２の映像信号を生成する
信号補正方法。
【符号の説明】
【００７８】
１…表示装置、１０…表示パネル、１１…パネル部、１２…ＦＰＣ、１３…画素領域、１４…画素、１５…データ線駆動回路、１６…走査線駆動回路、２０…駆動回路、３０…信号処理回路、３１…リニアγ変換回路、３２…正規化回路、３３…ムラ補正回路、３４…階調化回路、３５…パネルγ変換回路、３６…記憶部、３６Ａ…リニアγ補正ＬＵＴ、３６Ｂ…ムラ補正ＬＵＴ、３６Ｃ…パネルγ補正ＬＵＴ、４０…タイミング生成回路、５０…ドライバ、５１…サンプル・ホールド回路、５２…Ｄ／Ａ変換回路、５３…ドライバ回路、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ。
【図１】
2014029428.tif 000003
【図２】
2014029428.tif 000004
【図３】
2014029428.tif 000005
【図４】
2014029428.tif 000006
【図５】
2014029428.tif 000007
【図６】
2014029428.tif 000008
【図７】
2014029428.tif 000009
【図８】
2014029428.tif 000010
【図９】
2014029428.tif 000011
【図１０】
2014029428.tif 000012
【図１１】
2014029428.tif 000013
【図１２】
2014029428.tif 000014
【図１３】
2014029428.tif 000015
【図１４】
2014029428.tif 000016
【図１５】
2014029428.tif 000017
【図１６】
2014029428.tif 000018
【図１７】
2014029428.tif 000019
【図１８】
2014029428.tif 000020
【図１９】
2014029428.tif 000021
【図２０】
2014029428.tif 000022
【図２１】
2014029428.tif 000023
【図２２】
2014029428.tif 000024